(57)【要約】【課題】スノーボードにおけるセッティングがライダー最適な状態に行え、軽量であって、安全性も高く、セッティングの再現が容易であるようにすること。【解決手段】取付け用ねじ１６を挿通する複数のねじ挿通孔２２を有したスノーボード用バインディング１２のディスクプレート１５であって、上記複数のねじ挿通孔２２からなるねじ孔群の中心位置Ｐが、当該ディスクプレート１５の中心位置Ｑから偏った位置に設定されたスノーボード用バインディングのディスクプレート。【選択図】図５
2007143727.tif 000002
【特許請求の範囲】
【請求項１】
取付け用ねじを挿通する複数のねじ挿通孔を有したスノーボード用バインディングのディスクプレートであって、
上記複数のねじ挿通孔からなるねじ孔群の中心位置が、当該ディスクプレートの中心位置から偏った位置に設定された
スノーボード用バインディングのディスクプレート。
【請求項２】
取付け用ねじを挿通する複数のねじ挿通孔が並設されたねじ挿通孔部を複数有したスノーボード用バインディングのディスクプレートであって、
上記複数のねじ挿通孔部からなるねじ孔群の中心位置が、当該ディスクプレートの中心位置からねじ挿通孔部の長さ方向以外の方向に偏った位置に設定された
スノーボード用バインディングのディスクプレート。
【請求項３】
前記ねじ孔群の中心位置が、ねじ挿通孔部の幅方向に偏った位置である
請求項２に記載のスノーボード用バインディングのディスクプレート。
【請求項４】
前記ねじ孔群の中心位置の偏りを数値で表示する表示部が形成された
請求項１から請求項３のうちのいずれか一項に記載のスノーボード用バインディングのディスクプレート。
【請求項５】
前記請求項１から請求項４のうちのいずれか一項に記載のスノーボード用バインディングのディスクプレートを備えた
スノーボード用バインディング。
【発明の詳細な説明】
【技術分野】
【０００１】
この発明は、ボードに対してブーツを取り付けるためのスノーボード用バインディングに関する。
【背景技術】
【０００２】
上述のようにバインディングはブーツをボードに取り付けるためのものである。すなわち、足とボードをつなぐものであって、大変重要である。このバインディングをライダーの体格や好み、レベルに合わせて適正な位置に取り付けることをセッティングというが、これまで、本当のセッティングが行われることは皆無といっていいほどであった。
【０００３】
その理由は、スノーボードの構造にある。つまり、バインディングは、その底を構成するベースプレートに対して上から固定する円板状のディスクプレート１０１（図９参照）を、４本、３本、または２本などの複数本の取付け用ねじ１０２…でボード１０３に対して固定して取り付けられるものであり、上記ボード１０３の上面には上記取付け用ねじ１０２を螺合するねじ孔１０４が設けられるが、このねじ孔１０４は、ボード１０３の長さ方向に複数組並設されており、これら複数組のねじ孔のうち、いずれのねじ孔１０４を利用してバインディングを取り付けるかによって、ボードの長さ方向での位置、すなわちスタンス幅が設定される。なお、図９中、バインディングの図示は省略している。
【０００４】
また、上記ディスクプレート１０１には上記取付け用ねじ１０２を挿通するために一組のねじ挿通孔１０５が形成されている。この一組のねじ挿通孔１０５は、これらの中心位置Ｐがディスクプレート１０１の中心位置Ｑと一致するように当然の如く形成される。そして、ボード１０３の幅方向での位置調整（センタリング）が行えるように、一組のねじ挿通孔１０５を構成する各ねじ挿通孔１０５ａは、同一方向に複数個並べられて形成されている。
【０００５】
このような構成であるため、ディスクプレート１０１のねじ挿通孔１０５ａと、ボード１０３のねじ孔１０４の組合せによって、ボード１０３の長さ方向における位置とスタンス幅、それにボード１０３の幅方向における位置（センタリング）とを調節できる。
【０００６】
しかし、４本の取付け用ねじ１０２で固定する４個孔タイプの場合、ボード１０３の一組のねじ孔１０４は、正方形を描くようにたとえば４０mm間隔で配設され、これが２０mmのオーバーラップでボード１０３の長さ方向に配設されているので、スタンス幅を調整しようとして左右両足に対応する２枚のディスクプレート１０１のうち、一方の取付け位置をずらすと、一度に２０mmのスタンス幅の増減が行われる。そして、この場合、一方のディスクプレート１０１のみを移動させるので、ボード１０３の重心位置Ｇに対してライダーの重心位置がずれてしまう。
【０００７】
そこで、ボードの重心を重要視して、２枚のディスクプレート１０１，１０１を移動させれば、今度は４０mmもスタンス幅が変わってしまうことになる。
【０００８】
このような難点を解消するには、ディスクプレート１０１のねじ挿通孔の配設方向をボード１０３の長さ方向に合わせることが考えられるが、このようにするとセンタリングができないという問題点が新たに発生してしまう。
【０００９】
このように、スタンス幅と重心とセンタリングの全てを適正にすることは難しい。
【００１０】
スノーボードはバランスのスポーツであり、ボートの真中に乗ることがスノーボードの基本であって、ライダーの個性に合わせたセッティングを行うことが技術の上達のほか、安全性の面でも不可欠であるにもかかわらず、一般には、たとえば「レギュラー  アングル前２１、後６  スタンス５４cm前後」などといった、大まかなセッティングしか行われてこなかった。スタンス幅について付言すれば、基本のスタンス幅は、女子で４８〜５０cm、男子で５３〜５５cmとされている。この数値から見ても、一度に４０mmもスタンス幅が変わってしまうことの重大さが分かる。
【００１１】
また、別の理由として、ブーツがたとえば０．５cm刻みで形成されているのに対してバインディングは、Ｓ、Ｍ、Ｌの３種類しかなく、２３cm前後ブーツにはＳのバインディングが、２６cm前後のブーツにはＭのバインディングが、２８．５cm前後のブーツにはＬのバインディングが使用されるように構成されていることが挙げられる。つまり、上記サイズのブーツを使用する場合にはセッティングが容易に行えるが、それ以外のサイズのブーツを使用する場合には、セッティングが複雑で困難になる。
【００１２】
このような問題点を解決するため、下記特許文献１、２のような技術が提案されている。
【００１３】
これらは、長孔を利用して、上記のような段階的な調節ではなく連続的に位置調整が行えるようにしたものである。
【００１４】
しかし、長孔を利用して位置調整できるようにしているため、長孔部分を締め付けるために、ディスクプレートあるいはボード側に別の部材が必要になって、部品点数が多くなってしまう。部品点数が多くなるとその分重量が重くなって、競技に支障が出てくる。
【００１５】
また、長孔を利用しているので、たとえば１０mなど高所から落下する時の衝撃で、バインディングがずれてしまうおそれがあり、安全性の面でも問題がある。
【００１６】
さらに、位置の調整が連続的に行われるものであるため、一度適正に行ったセッティングを再度行うことは難しい。ボードが変われば全く不可能である。つまり再現性がないため、一度良好なセッティングが行えても、つぎの機会にそれを生かすことができず、再度改めてセッティングを行う必要があって、面倒である。
【００１７】
【特許文献１】特開平８−２５７２０１号公報
【特許文献２】特開平１１−１９７２８７号公報
【発明の開示】
【発明が解決しようとする課題】
【００１８】
そこで、この発明は、ライダーそれぞれにあった適正なセッティングが行え、軽量であって、安全性も高く、セッティングの再現が容易であるようにすることを主たる課題とする。
【課題を解決するための手段】
【００１９】
そのための手段は、取付け用ねじを挿通する複数のねじ挿通孔を有したスノーボード用バインディングのディスクプレートであって、上記複数のねじ挿通孔からなるねじ孔群の中心位置が、当該ディスクプレートの中心位置から偏った位置に設定されたスノーボード用バインディングのディスクプレートである。
【００２０】
上記ねじ孔群の中心とは、各ねじ挿通孔から等間隔にある点をいう。
【００２１】
すなわち、バインディングの取付けに際しては、ディスクプレートのねじ挿通孔に取付け用ねじを挿通してボードに固定するが、このとき、バインディングを所望の位置に固定することができるディスクプレートをねじ挿通孔の位置に基づいて選定して、取付けを行う。ねじ孔群の中心位置がディスクプレートの中心位置から偏っているので、ディスクプレートの中心位置、すなわちバインディングの中心位置を、使用される複数のねじ孔の中心位置から所定量ずらして固定できる。このため、ライダーに適した最良のセッティングが確実に行える。
【００２２】
上記偏りは、たとえばmm単位で行われると、より細かなセッティングが可能となるのでよい。
【００２３】
別の手段は、取付け用ねじを挿通する複数のねじ挿通孔が並設されたねじ挿通孔部を複数有したスノーボード用バインディングのディスクプレートであって、上記複数のねじ挿通孔部からなるねじ孔群の中心位置が、当該ディスクプレートの中心位置からねじ挿通孔部の長さ方向以外の方向に偏った位置に設定されたスノーボード用バインディングのディスクプレートである。
【００２４】
上記ねじ孔群の中心とは、各ねじ挿通孔部の中心位置から等間隔にある点をいう。
【００２５】
すなわち、バインディングの取付けに際しては、ディスクプレートにおけるねじ挿通孔部のいずれかのねじ挿通孔に、取付け用ねじを挿通してボードに固定するが、このとき、バインディングを所望の位置に固定することができるディスクプレートをねじ挿通孔部の位置に基づいて選定して、取付けを行う。ねじ孔群の中心位置がディスクプレートの中心位置から偏っているので、ディスクプレートの中心位置、すなわちバインディングの中心位置を、ボードにおける使用される複数のねじ孔の中心位置から所定量ずらして固定できる。このため、ライダーに適した最良のセッティングが確実に行える。
【００２６】
その上、ねじ挿通孔は複数個並べて形成されているので、たとえばセンタリングなど、別方向の位置調節も同一のディスクプレートで行える。このため、ディスクプレートの選定作業が容易であり、後のセッティングの変更にも対応できる。
【００２７】
上記偏りは、たとえばmm単位で行われると、より細かなセッティングが可能となるのでよい。
【００２８】
また、上記ねじ孔群の中心位置は、ねじ挿通孔部の幅方向に偏った位置であるとよい。偏らせた程度、すなわち何mmずらせたかの数値に基づいて、ボードの重心を考慮したスタンス幅の調整と、センタリングを確実にする適切なディスクプレートの選定が容易に行える。
【００２９】
また、上記スノーボード用バインディングのディスクプレートには、ねじ孔群の中心位置の偏りを数値で表示する表示部が形成されるとよい。すなわち、ねじ孔群の中心位置がねじ挿通孔部の幅方向に何mmずれているのかを明示することができる。この表示部の存在により、適切なディスクプレートの選定が容易になるとともに、確実な再現性が得られる。
【００３０】
別の手段は、上記スノーボード用バインディングのディスクプレートを備えたスノーボード用バインディングである。
【発明の効果】
【００３１】
以上のように、この発明によれば、ディスクプレートのねじ挿通孔と、ボードのねじ孔の組合せによって、ボードの長さ方向における位置とスタンス幅、それにボードの幅方向における位置（センタリング）とを調節できる上に、ディスクプレートの選定によって、より細かに取付け位置の調整が行える。しかも、細かな位置調整が行えるので、ボードの重心を考慮してスタンス幅の調整が行える。つまり、これまで不可能であった適正なセッティングが可能となる。
【００３２】
そして、そのための構成は、長孔を用いるわけではないので、別途に部材は不要となり、重量が増すことを阻止でき、軽量さを保てる。また、長孔を使用しないため競技中に取付け用ねじが不測にずれてしまうなどのおそれもなく、安全性が得られる。
【発明を実施するための最良の形態】
【００３３】
この発明を実施するための一形態を、以下図面を用いて説明する。  
図１は、ボード１１とバインディング１２の斜視図であり、バインディング１２は、ボード１１の長さ方向と幅方向のいずれにおいても所望の位置に固定できるように構成されている。
【００３４】
すなわち、バインディング１２の固定は、図示したように、バインディング１２の底であるベースプレート１３の中央部に形成された取付け穴部１４に対して上から円板状のディスクプレート１５を取付け、４本の取付け用ねじ１６を用いてディスクプレート１５をボード１１に固定してなされるが、このとき複数種類のディスクプレート１５の中から、バインディング１２を所望の位置に固定できるものを選定して使用する。
【００３５】
なお、周知の構造のため図示を省略して簡単に説明するが、上記取付け穴部１４は、上面側ほど広がる傾斜面に形成され、この傾斜面には歯車状の多数の凹凸が形成されている。一方、この取付け穴部に取り付けられるディスクプレート１５は、取付け穴部１４に対応する大きさで、外周縁部の下面側がテーパ状に形成され、上記凹凸に対応する多数の凹凸が形成されている。上記凹凸同士の噛合により、ボード１１上におけるバインディング１２の取付け角度（アングル）を設定できる。
【００３６】
まず、ボード１１について説明する。  
ボード１１は、図１に示したように、左右２本の足がのる位置に上記バインディング１２を固定可能にすべく、図２に示したように、取付け用ねじ１６を螺合する複数のねじ孔１７が形成されている。なお、図２は、ボード１１にディスクプレート１５を乗せた状態を示す平面図で、便宜上バインディングを省略して示している。
【００３７】
上記ねじ孔１７は、ナットを埋設して形成される。ねじ孔１７に螺合する取付け用ねじ１６は、上記のように４本用い、その配置は正方形の４個の頂点をなすようになされるので、ねじ孔１７は、ボード１１の幅方向の中間位置を中心にして左右に振り分けて形成される。ボード１１の長さ方向に配設される各ねじ孔１７の間隔は、ボード１１の幅方向における間隔の半分の値に設定されている。図２、図３に示したように、ボード１１の長さ方向に５個配設した場合には、４通りの固定パターンが得られる。
【００３８】
つぎに、ディスクプレート１５について説明する。  
ディスクプレート１５は、図４の平面図に示したように、４個のねじ挿通孔部２１を有している。これらねじ挿通孔部２１は、一点鎖線で示したように、その中心位置の４点を結ぶと、正方形を描くように配置される。
【００３９】
４個のねじ挿通孔部２１は、図面上、縦長の直線状に形成され、上記ボード１１のねじ孔１７に対して取付け可能なように縦横２列に配設される。
【００４０】
各ねじ挿通孔部２１は、複数のねじ挿通孔２２からなる。各ねじ挿通孔２２は、上記取付け用ねじ１６を挿通保持するもので、連続して形成されており、内周縁には、挿通保持した取付け用ねじ１６が位置ずれしないように円弧状の縁部が複数形成されている。
【００４１】
この例では、各ねじ挿通孔２２が連続している例を示したが、各ねじ挿通孔２２がそれぞれ独立した、非連続のものであるもよい。
【００４２】
そして、４個のねじ挿通孔部２１は、これらの集合であるねじ孔群の中心位置Ｐが、ディスクプレート１１の中心位置Ｑからねじ挿通孔部２１の幅方向に所定幅Ｗ偏った状態になるように形成される。換言すれば、各ねじ挿通孔部２１を、本来の位置から、ねじ挿通孔部２１の幅方向に所定幅Ｗずらして形成される。
【００４３】
なお、上記ねじ孔群の中心位置Ｐは、各ねじ挿通孔部２１の長さ方向の中心位置から等距離にある点である。
【００４４】
また、上記所定幅Ｗは、ボード１１の長さ方向におけるねじ孔の間隔よりも狭く設定される。たとえば１mm、２mm、５mm、１０mなどと設定され、所定幅Ｗの値が異なるものが複数種類形成される。この所定幅Ｗの値を示す表示部２３が、図２に示したようにディスクプレート１５の表面に形成される。表示部２３は、刻印、成形、プリント等の適宜の手段によって形成できる。
【００４５】
ねじ孔群の中心位置Ｐがディスクプレート１５の中心位置から所定幅Ｗずれたディスクプレート１５は複数種類用意され、バインディング１２のセッティングに備えられる。
【００４６】
セッティングは次のように行われる。  
まず、図３に示したようにライダーのスタンス幅Ｌｓを計測する。次に、このスタンス幅Ｌｓに基づいて、ボード１１の重心Ｇを考慮しながら、ボード１１の長さ方向における２枚のディスクプレート１５のあるべき中心位置１５ａを特定するとともに、ディスクプレート１５の固定に用いるねじ孔１７の位置を特定する。図中、太線で示したねじ孔１７が、特定されたねじ孔１７である。
【００４７】
特定されたねじ孔１７のうち、ボード１１の長さ方向に並ぶ２個ずつのねじ孔１７の中間位置Ｓ１，Ｓ２と、先に特定した上記ディスクプレート１５のあるべき中心位置１５ａとの相違を計測し、その相違に相当する偏り（上記所定量Ｗ）を有するディスクプレート１５を選択し、このディスクプレート１５を用いてセンタリングを行いながら、４本の取付け用ねじ１６でバインディング１２の固定を行う。
【００４８】
図５は、図２のａ部分を示す拡大図であるが、この図に示すように、ディスクプレート１５の取付け位置は、仮想線で示した本来の取付け位置（ねじ孔群の中心位置Ｐがディスクプレート１５の中心位置Ｑと一致している場合の取付け位置。以下同様である）よりも所定幅Ｗだけボード１１の長さ方向にずれる。つまり、バインディング１２の取付け位置をずらすことができる。また、破線は、隣のねじ孔１７への取付け位置を示すが、これよりも細かな調整ができることが分かる。さらに、１枚のディスクプレート１５でも、１８０度反転して使用すると、一点鎖線で示した位置に固定できるので、本来の位置より反対側に所定幅Ｗだけ位置をずらすことができる。
【００４９】
図２を用いて説明すれば、本来の取付け位置でのスタンス幅が（Ｌ）の場合、重心Ｇはそのままで、（Ｌ＋Ｗ×２）のスタンス幅が得られる。（Ｗ×２）は、Ｗが上述のように１mm、２mmなどと設定されているので、細かな調整が自由に行える。
【００５０】
このため、ライダーに適した最良のセッティングが可能である。
【００５１】
その上、ねじ挿通孔２２は複数個並べて形成されているので、センタリングも同一のディスクプレート１５で行える。また、上記ねじ孔群の中心位置Ｐは、ねじ挿通孔部２１の幅方向に偏った位置である。このため、ディスクプレート１５の選定に際しては、スタンス幅Ｌｓとボードの重心Ｇとねじ孔１７の位置を考慮するだけでよく、作業が容易であり、後のセッティングの変更にも容易に対応できる。
【００５２】
また、偏りを数値で表示する表示部２３が形成されているので、適切なディスクプレート１５の選定が容易であるとともに、確実な再現性が得られる。この再現性は、ディスクプレート１５の取付けが出来さえすれば、ボード１１が変わっても同一の取付け状態を得ることができる、優れた再現性である。
【００５３】
このような効果を得られるので、上記ディスクプレート１５や、これを備えるバインディング１２は、スノーボードの販売店やスキー場のスノーボードレンタル店等で使用するのに好適で、自分に適したディスクプレートを備えれば、いつでも最適のセッティングが容易に行える。
【００５４】
図６は、ディスクプレートの取り付け方のその他の例を示し、ねじ挿通孔部２１の長さ方向をボード１１の長さ方向に合わせて、ディスクプレート１５の偏りをセンタリングに使用した例である。つまり、ディスクプレート１５をボード１１の幅方向に所定幅Ｗだけずらすことができる。この結果、バインディング１２は、ボード１１の長さ方向と幅方向のいずれにおいても所望の位置に固定できる。
【００５５】
図７、図８、図９は、３本の取付け用ねじ１６で固定するディスクプレート１５を示した例である。なお、上述の構成と同一または同等の部位については、同一の符号を付してその詳しい説明を省略する。
【００５６】
すなわち、図７に示したように、ボード１１には、正三角形の３つの頂点をなす位置に形成されたねじ孔１７が、ボード１１の長さ方向に複数個形成されている。図示例では、ボード１１の幅方向の中央に長さ方向に沿って４個、その左右両側に２個ずつ配設されて、合計８個のねじ孔１７を有し、ディスクプレート１５の方向性を違えて４通りの固定パターンが得られるように形成されている。
【００５７】
一方、ディスクプレート１５には、上記と同一の構成である縦長のねじ挿通孔部２１が３個配設されている。これらは、一方側にたて２個、他方側に１個並べて、各ねじ挿通孔部２１の中心位置の３点が、一点鎖線で示したように正三角形を描くように配置される。そして、各ねじ挿通孔部２１の中心位置Ｐが、ディスクプレート１５の中心位置Ｑからねじ挿通孔部２１の幅方向に所定幅Ｗ偏った位置に設定されている。
【００５８】
このように構成されたディスクプレート１５でも、上述と同様に固定され、バインディング１２の取付けがなされる。
【００５９】
図８は、上記ディスクプレート１５を用いた取付け例を示し、仮想線がディスクプレート１５の本来の取付け位置、破線が隣のねじ孔に対する固定位置を示す。本来の取付け位置でのスタンス幅が（Ｌ）の場合、重心Ｇはそのままで、（Ｌ−Ｗ×２）のスタンス幅が得られる。（Ｗ×２）は、Ｗが上述のように１mm、２mmなどと設定されているので、細かな調整が自由に行える。
【００６０】
このような３個孔のディスクプレート１５では、ディスクプレート１５を１８０度回転して別パターンのねじ孔１７に対して固定したり、２枚のディスクプレート１５を交換して固定したりすると、１枚のディスクプレート１５も他の取付け態様が得られる。
【００６１】
図９は、前記図６に示した場合と同様に、ねじ挿通孔部２１の長さ方向をボード１１の長さ方向に合わせて、ディスクプレート１５の偏りをセンタリングに使用した例を示している。つまり、ディスクプレート１５をボード１１の幅方向に所定幅Ｗだけずらすことができる。この結果、バインディング１２は、ボード１１の長さ方向と幅方向のいずれにおいても所望の位置に固定できる。
【００６２】
以上はこの発明を実施するための一形態であって、その他の形態を採用することもできる。  
たとえば、ねじ孔群の中心位置の偏りは、ねじ挿通孔部の幅方向のみではなく、斜め方向などにずらすこともできる。  
また、各ねじ挿通孔部は、一つのねじ挿通孔で構成するもよい。
【図面の簡単な説明】
【００６３】
【図１】ボードとバインディングの斜視図。
【図２】ボードとディスクプレートの平面図。
【図３】ボードの平面図。
【図４】ディスクプレートの平面図。
【図５】作用状態の平面図。
【図６】他の例に係るボードとディスクプレートの平面図。
【図７】他の例に係るボードとディスクプレートの平面図。
【図８】他の例に係るボードとディスクプレートの平面図。
【図９】他の例に係るボードとディスクプレートの平面図。
【図１０】従来技術を示す平面図。
【符号の説明】
【００６４】
１１…ボード
１２…バインディング
１５…ディスクプレート
２１…ねじ挿通孔部
２２…ねじ挿通孔
２３…表示部
Ｐ…ねじ孔群の中心位置
Ｑ…ディスクプレートの中心位置
【図１】
2007143727.tif 000003
【図２】
2007143727.tif 000004
【図３】
2007143727.tif 000005
【図４】
2007143727.tif 000006
【図５】
2007143727.tif 000007
【図６】
2007143727.tif 000008
【図７】
2007143727.tif 000009
【図８】
2007143727.tif 000010
【図９】
2007143727.tif 000011
【図１０】
2007143727.tif 000012